(57)【要約】【課題】極微細気泡を発生させ、液体内の気体の溶解度を高める。【解決手段】  液体を加圧するポンプにより液体を加圧し、加圧された液体に圧縮気体を混入させ、更に液体ポンプにより再加圧し、再加圧された液体の気体の溶解度を増すために、攪拌機能を持った貯留器により貯留し、圧力維持器で気体混入液体を一体圧力に維持しながら大気開放する事で、極微細気泡を発生させる。【選択図】図１
2017148801.tif 000002
【特許請求の範囲】
【請求項１】
極微細気泡発生装置であって、
液体を加圧する加圧ポンプを備え、
加圧した液体に圧縮気体を混入する気液混合器を備え、
気液混合器に圧縮気体を供給して気体を混入した気液混合液体を再加圧するための再加圧ポンプを備え、
再加圧した気液混合液体の気体の溶解度を高めるため気液混合液体を一時貯留する貯留器を備え、
気液混合液体の圧力を一定圧力に維持するための圧力維持器を備え、
一定圧力に維持した気液混合液体を圧力維持器から大気放出することで極微細気泡を発生させる事を特徴とする極微細気泡発生装置。
【請求項２】
液体を加圧する加圧ポンプの吸入口に気体を微細化して混入する気液混合器を備え、
気体を混合した液体を加圧する加圧ポンプを備え、
加圧した気液混合液体の気体の溶解度を高めるため気液混合気体を一時貯留する貯留器を備え、
気液混合液体の圧力を一定圧力に維持するための圧力維持器を備え、
一定圧力に維持した気体混入液体を圧力維持器から大気放出することで極微細気泡を発生させる事を特徴とする極微細気泡発生装置。
【請求項３】
液体を加圧する加圧ポンプを備え、
加圧した液体に圧縮気体を混入させるための気液混合器を備え、
前記、気液混合液体の溶解度を高めるため気液混合液体を一時貯留する貯留器を備え、
気液混合液体を一定圧力に維持するための圧力維持器を備え、
気液混合液体を圧力維持器から大気開放することで極微細気泡を発生させることを特徴とする請求項１及び請求項２に記載の極微細気泡発生装置。
【請求項４】
加圧された気液混合液体を一時貯留するする貯留器は気体の溶解度を高めるため攪拌機能を持たせたことを特徴とする請求項１及び請求項２及び請求項３に記載の極微細気泡発生装置。
【請求項５】
前記圧力維持器は加圧された気液混合液体の圧力を維持する部品であって、
気体を混入した加圧液体を開放することで発生する脈動およびエアレーションを防止するとともに気液混合液体で生じるキャビテーションを軽減するために圧力を解放する弁に圧力を逃がすための逃がし機構を設けることを特徴とする請求項１、請求項２及び請求項３に記載の極微細気泡発生装置。
【発明の詳細な説明】
【０００１】  極微細気泡発を発生させる装置に関する。
【背景技術】
【０００２】  微細気泡発生器としてエジェクター及びアスピレーターにより微細気泡を発生させる方式の提案がなせれている。【０００３】  エジェクターにより微細気泡化する方式では、エジェクターの形状および気泡発生のための工夫がなせれ、多くの研究がされている。【０００４】  金属及びプラスチック及びセラミックスに微細な穴加工を施し、穴から加圧した気体を放出することで微細気泡化する方式も提案されている。【０００５】  液体に気体を混入し、攪拌することで微細気泡を発生させる方式も提案されている。【０００６】  微細気泡発生装置は飽和溶存酸素以上に気体を溶解させる微細な気泡を発生する装置は少ない。【０００７】  異形の穴を複数設けた板を複数枚重ね、異形の穴同士が互い違いに組み合わせ、気体を含んだ液体がその内部を通過させることで極微細気泡化する方式も提案せれている。【０００８】  渦流ポンプにより、ポンプ吸い込み口から液体と気体を注入し、微細気泡化する方式も存在している。【０００９】  ポンプからの水の吹き出しを利用し、気体を混入し、攪拌することで微細気泡を発生させる提案がされている。
【先行技術文献】
【特許文献】
【００１０】
【特許文献１】特開２０１５−２２３５８５号公報
【特許文献２】特願２０１５−２０９７２３号公報
【特許文献３】特願２０１５−１８６７８１号公報
【特許文献４】特願２０１５−１６６０５５号公報
【特許文献５】特願２０１５−０９３２１９号公報
【特許文献６】特願２０１５−０５７２７１号公報
【特許文献７】特願２０１２−０４０４４８号公報
【特許文献８】特願２０１４−２３１０４６号公報
【特許文献９】特願２０１３−２３４６５４号公報
【発明の概要】
【発明が解決しようとする課題】
【００１１】  簡単な方式で、排出量が小容量から大容量の極微細気泡を安価に作る方法が課題となっている。【００１２】  渦流ポンプにより、液体内に気体を混入させ、渦流ポンプの中を複数回循環させる等の方式で微細気泡化する工夫がなされているが、極微細気泡にはなっていない。【００１３】  金属又はセラミック等のハニカム式の板を設け、穴をずらすことで気液混合液体を高速で流し、極微細化気泡とする方式も提案されているが、キャビテーションが発生し、経年変化が激しい課題を持っている。【００１４】  ハニカム方式、エジェクター方式も微細気泡の液体の水量を増加させるには発生部品を大きくする他、並列に複数枚準備する方式があるが、大量に微細気泡及び極微細気泡発生させるには課題がある。【００１５】  本発明はキャビテーションによる劣化を最小限にし、水量を少量から大容量まで対応能な方式として液体を加圧し、加圧した液体の中に圧縮気体を混入し、一時貯留し、攪拌することで加圧液体の中で気体を溶解させ、一定圧力に維持した状態で大気開放する方式である。【００１６】  加圧された液体に気体を溶解させ、一時貯留させることで気体の溶解度を高くし、キャビテーションの起こりにくい構造にすることが可能となる。【００１７】  前記の方式により加圧ポンプの選択、貯留器の選択及び圧力維持器の選択で必要とする水量に対応した極微細気泡を提供することができる。【００１８】  本発明は加圧した井水、上水、純粋、汚水及び海水等の液体に気体を混入し、再加圧し、攪拌して一定圧力に維持し、圧力を大気圧開放することで極微細気泡を発生させる極微細気泡発生装置である。【００１９】  また、加圧ポンプ吸水口に気液混合気により気体を混入し、加圧ポンプにより加圧し、気体の混入した気液混合液体を貯留攪拌し、一定圧力にする圧力維持器で圧力を維持し、圧力維持器より大気開放することで極微細気泡を発生させている。
【課題を解決するための手段】
【００２０】  液体に気体を混入させる方法として多くは常圧の状態で混入を試みている。【００２１】  常圧における飽和溶存酸素はは２０℃で８．５ｐｐｍ、２５℃で８ｐｐｍが限界といわれている。【００２２】  ヘンリーの法則によると、液体に圧力を加え、加圧下の液体の中では気体は常圧と比較してより多くの気体が溶解できる。また、加圧圧力が高いほど溶解度が上がると有る。【００２３】  例えば、炭酸飲料は加圧された容器のなかに炭酸ガスが透明の状態で溶解している。容器に入った炭酸飲料を常温にし、栓を抜くと勢い炭酸ガスが放出される。この様に加圧された液体の中に気体が常圧と比較してより多くの気体が溶解できる。【００２４】  加圧された液体の中で気体を溶解させ、加圧状態で溶解度を更に高めるため、一時貯留することで加圧下での気体の溶解度をさらに高めることができる。【００２５】  加圧された液体の中で気体を溶解することで常圧に圧力開放した状態で、気体の溶解度は飽和溶解度を上回る。【００２６】  図３の構成図において、加圧された液体に圧縮空気を混入し、一時貯留し、圧力解放器より大気開放したときの溶存酸素データーを図５に示す。加圧された気液混合液体が大気圧に圧力開放した状態では、初期の液体と比較して溶存酸素が６ＰＰＭから１１．５ＰＰＭに増加した。この値は飽和溶存酸素８ｐｐｍを大きく上回っている。【００２７】  また図３の循環式極微細気泡発生装置の構成図にいて、液体に圧縮気体に換え窒素を混入し、循環した時の溶存酸素データーを図６に示す。時間とともに液体中の溶存酸素が窒素と置換し、溶存酸素が減少していく。【００２８】  本発明は加圧された液体の内に気体を混入し、加圧された液体内で気体を溶解させ、大気開放することで大気中での気体の溶解度を高めることが出来る。【００２９】  液体を加圧し、加圧した液体の中に圧縮気体を混入させ、加圧された液体の中で気体を溶解させる方法として、加圧ポンプにより加圧した液体の中に加圧気体を混入し、再加圧ポンプにより気体混入液体を再加圧し、気液混合液体を一定時間貯留する。【００３０】  気体を混入し、加圧された液体を一定圧力に維持する部品として圧力維持器を備え、圧力維持器により加圧された気液混合液体を大気開放することで極微細気泡が発生する。【００３１】  圧力開放器は気液混合液体の圧力を一定に維持する部品であるが、一般的な弁では気体が混入した液体ではエアレーション及び脈動が発生し、安定した圧力を維持することができないばかりか、部品の寿命を短くする恐れがある。【００３２】  また、エアレーションにより、加圧ポンプに圧縮気体が入り、加圧ポンプの動作に支障をきたすほか、最悪の場合気体の吹き出し不能になる。【００３３】  圧力維持器にはこれらのエアレーション及び脈動を防止するための圧力逃がし機構が設けられている。【００３４】  圧力逃がし機構とは、安全に圧力を逃がす機構が設けられており、ポンプが作動し、圧力が上がり始めると小さな穴から気液混合液体が放出する。更に圧力及び水量が増加すると弁が開き、圧力が開放される。この機構により、エアレーションを防止し、脈動を防止する。【００３５】  気液混合液体を一定時間貯留する貯留器を設ける。貯留器は安定し���極微細気泡を作るための部品であり、内部に攪拌機能を持たせる事で、加圧状態でより気体の溶解度を増すとともに、安定した極微細気泡を作ることができる。【００３６】  二段加圧方式は、加圧された一段目の加圧ポンプの後に加圧気体を混入することで、混入させる気体の圧力を低く抑えるとともに、二段目の加圧ポンプにより、より高圧の気液混合気体をつくことが可能となる。圧力が高いほど加圧下での気体の溶解度が増す方法を採用する。【００３７】  図７及び図８は図３の構成図で極微細気泡発生装置の溶存酸素のデーターを示したデーターである。図７は圧縮空気に換え酸素を混入したときのデーターで、２０分循環させた溶存酸素の最高到達点が４７ＰＰＭであった。
図８は同一条件で加圧圧力を高くした溶存酸素データーでは１７分後には５７ＰＰＭに達している。図７の時の加圧圧力は０．７５ＭＰであり、図８では０．９５ＭＰまで高めた時のデーターである。【００３８】  加圧圧力を高めることで常圧での溶存酸素を高くすることも可能である。【００３９】  図２および図４は一段ポンプによる加圧方式がある。【００４０】  図２では液体を加圧ポンプにより加圧し、加圧した液体に圧縮気体を混入し、液体内の気体の溶解度を高めるため一時貯留器で滞留させ、圧力維持器より一定の圧力を維持した状態で大気開放することで極微細気泡を作る。また、一時貯留器に攪拌機能を持たせることでより気体の溶解度を高くする。【００４１】  一段加圧方式の図４では加圧ポンプの吸入口に気液混合器例えばエジェクター及びアスピレーターを設け、常圧の気体を混入し、加圧ポンプで気液混合液体を加圧し、気体の溶解度を高めるため一時貯留する貯留器で一時貯留し、気液混合液体を一定圧力に維持する圧力開放器で圧力を維持し、圧力開放器により大気開放する方法もある。【００４２】  加圧された気体を混入させた気液混合液体を一時貯留する貯留器を設けるが、この貯留器内に攪拌機能を持たせる事で加圧された液体の中でより気体の溶解度を高める。
【図面の簡単な説明】
【００４３】
【図１】は二段加圧方式の図面である。
【図２】は一段加圧方式の図面である。
【図３】は二段加圧循環方式の図面である。
【図４】は一段加圧循環方法で、加圧ポンプの吸入口前段に微細気泡を発生させる部品を取り付けた図面である。
【図５】は図３の構成図での圧縮空気を混入させた溶存酸素の推移を示す。
【図６】は図３の構成図で圧縮窒素を混入させたときの溶存酸素の推移を示す。
【図７】は図３の構成図で圧縮酸素を混入させたときの溶存酸素の推移を示す。
【図８】は図３の構成図において加圧圧力を高め、圧縮酸素供給時の溶存酸素の推移を示す。
【図９】は上水にレーザー光線を照射した図である。
【図１０】は図５の時の水を採取し、２日間放置時のレーザー光線照射の図である。
【図１１】は図５の時の水の作りたてのレーザー光線照射の図である。
【発明を実施するための形態】
【００４４】  図面に従って説明する。
【００４５】  図１において、吸液配管（１１）から液体を一段目の加圧ポンプ（１）により加圧される。
【００４６】  加圧された液体に気体を混入する気液混合器（２）により、液体に気体を混入させる。この気液混合気には液体に混入させる配管（２１）により加圧気体が供給される。
【００４７】  気液混合器にはアスピレーター又はエジェクターを使用することが望ましい。微細化した気液混合液体を加圧することで気体の溶解度を増すことができる。
【００４８】  気体を混入された液体は再加圧ポンプ（３）により再加圧される。
【００４９】  再加圧ポンプで加圧された気液混入液体の溶解度を高めるため貯留器（４）を設ける。
【００５０】  貯留器は気液混合液体の溶解度を高めるため、攪拌機能を持たせる。
【００５１】  貯留器からの配管（１５）が接続されており、その先端には圧力維持器（５）が取り付けられている。
【００５２】  圧力維持器（５）は気液混合液体を一定圧力に維持する部品である。気液混合液体を一定圧力に維持しながら大気開放することで極微細気泡を発生させる。
【００５３】  ヘンリーの法則によると加圧された液体にはより多くの気体を溶解させると有る。加圧することで気体の溶解度を高め、大気開放することで常圧でも気体の溶解度が増加した。
【００５４】図５に上水の溶存酸素データーと圧力解放された溶存酸素データーの比較がある。加圧する前の溶存酸素が６ｐｐｍだった値が１１ｐｐｍ以上に上昇している。この時の飽和溶解は８ｐｐｍであり、飽和溶解値を大きく超えている。
【００５５】  ここで使用される圧力維持器は液体内に気体が混入することで生じる脈動を抑え、エアレーション及びキャビテーションを減衰させる役割を果たす。
【００５６】  弁には低圧でも液体を外部に放出する細工が施されている。加圧された液体に気体が混入することで生じる脈動を最小限に抑えることができるほか、エアレーションを防止することができる。
【００５７】  貯留器（４）は気液混合液体の滞留時間を持たせることで加圧状態での気体の溶解度を高める機能がある。
【００５８】  更に貯留器の構造により攪拌機能を持たせることで溶解度をさらに大きくする。
【００５９】  実験において貯留器を発見できるまでは極微細気泡が安定せず、泡の形状も不揃いで、大きな気泡が圧力維持器を通して排出されていた。また、再加圧ポンプから圧力維持器の間の配管に大きな気泡となって圧力開放器に向かうのが見て取れた。一時貯留器により極微細気泡が安定し、貯留器から圧力開放器の間の配管は液体の中で気体が透明となり、圧力維持器で気体混入液体を大気開放した時の泡がより微細となった。
【００６０】  圧力維持器から白濁した液体が放出されるが、白濁状態の泡は微細気泡であるが、消泡後でも図５，６，７，８のように溶存酸素が増減した。また、図１０、１１のようにレーザー光線の軌跡が確認できたことはこの極微細気泡も含んでいたことになる。
【００６１】  図２は一段ポンプアップ方式をします。
【００６２】  配管（１１）により一段加圧ポンプ（７）に液体が送られる。
送られた液体はポンプにより加圧される。加圧された液体に混入される気体は圧縮気体でああり、気体配管（２１）を通して混合気体が送られ、気液混合器（１７）によってい気体が混入される。
気体を混入された気液混合液体は貯留器（４）により一時貯留されるとともに攪拌されて圧力維持器（５）に送らるる。
圧力維持器により、気液混合液体を大気圧解放することで極微細気泡とする装置である。
【００６３】  図３は図１の構成図により極微細気泡とされた液体を循環する構成図で、循環することで溶存酸素を増加させる。
【００６４】  図４は図２の一段加圧方式の吸液配管に常圧気液混合器を設け、微細気泡化した気液混合液体を加圧ポンプで加圧し、加圧された気液混合気体を貯留器で気体の溶解度を増加させ、圧力維持器から大気開放することで微細気泡を発生させる。
【００６５】  図５は図３の構成図において、供給する気体を圧縮空気を使用したときの溶存酸素データーである。液体は水道水を使用したが、水道水の溶存酸素は６ｐｐｍであった。図３方式での溶存酸素データーは最高値が１１．５ｐｐｍであり、消泡後も１１ｐｐｍを示している。また、４８時間後の消泡後の数値は１０．５ｐｐｍを示している。
【００６６】  図６は図３の構成図において供給する気体は高濃度の窒素ガスを使用しており、時間とともに溶存酸素が低下し、１５分経過後の溶存酸素は０．４ｐｐｍに達した。
装置の排出量が２８リッターであり、タンクの容量は５０リッターである。このことから約６回循環させることで０．４ｐｐｍに達した
【００６７】  図７は上記の同一条件で混入気体を酸素にした時の溶存酸素の変化のデーターである。２０分循環させたところ４７ｐｐｍに達した。この時の循環回数は約１０回である。
【００６８】  図８は極微細気泡発生装置の加圧圧力を０．８ＭＰから０．９５ＭＰにした時の溶存酸素の変化の図である。実験条件は図８と同一条件で行った結果、１６分循環で５７ｐｐｍに達した。ヘンリーの方式では加圧圧力が高いほど液体内に溶存する気体が増えるとあるが、圧力維持器から大気開放したときの大気圧においても図の通り、溶存量が増えたことを示している。よって、加圧圧力をさらに高くすることで大気圧における気体の溶解度をさらに上げることが可能でる。
【００６９】  図９に上水を透明なコップに入れ、レーザー光線を当てた実験において、上水の中をレーザー光線が通過したが、その軌跡は確認できなかった。
【００７０】  図１０は図３の構成図において極微細気泡を作り、２日間放置した水を透明のコップに取り、レーザー光線を照射した実験の図である。極微細気泡がレーザー光線を反射し、レーザー光線の軌跡がはっきりと確認できた。
【００７１】  図１１は図３の構成図で極微細気泡を作り、消泡後、極微細気泡を透明コップに取りレーザー光線を照射した図である。レーザー光線の軌跡の中で数ケ所光線の反射が強くなるのが確認できた。光線の反射の強くなっている部分を符号６１で示す。液体の中で、極微細気泡がブラウン運動をしていることを示していると思われる。
【実施例】
【００７２】  メッキ工程の前処理水洗槽に極微細気泡発生装置を使用した。図３の循環方式で極微細気泡発生装置を洗浄用として使用したところ部品の付着物が極微細気泡により浮上し、洗浄効果が上がった。浮上した付着物をオーバーフローで外部に排出したところ、洗浄槽の水質が一定レベルに維持出来てきた。【００７３】  アルマイトの最終洗浄槽に使用したところ、袋穴内のアルマイト処理液の残渣が大きく改善し、歩留まりが大きく向上した。【００７４】  上記の実施例に置いて、洗浄に利用したところ洗浄槽に通常よりも多くの藻の発生が見られた。藻発生対策として圧縮空気に変え窒素を混入したところ、図６のように溶存酸素が減少し、藻の発生が大きく抑制出来た。従来洗浄槽内を１ケ月で清掃していたが、２ケ月経過しても洗浄槽の藻がなく、清掃の必要が無くなった。【００７５】  図６は極微細気泡発生装置に圧縮空気に換え、窒素ガスを供給した溶存酸素データーであり、図３の構成図で１６分循環させたところ溶存酸素が０．４ｐｐｍまで減少した。【００７６】  純水装置、配管及び貯蔵槽内に純水で発生する藻が付着する。従来は紫外線ランプ等を配管内に設置し、通過する藻の消滅を試みられてきたが、成果が限定的である。【００７７】  前記、洗浄水で極微細気泡を供給する気体を窒素にしたとこ藻の発生が見られなくなったか、または発生が激減した。純水槽および配管、バルブ等には純水で藻が発生する。実施例として、純水装置の供給水に窒素置換の極微細気泡を供給することで藻の発生を抑制または発生を防止することが期待される。純水装置では気泡が有害であるが、純水装置に供給する前段で超音波振動を与えることで消泡ができる。消泡後の溶存酸素の数値を測定したが溶存酸素のデーターには変化は見られなかった。【００７８】  メッキの洗浄槽に藻が発生する現象があることを記したが、溶存酸素が増加することで作物の成長を促他、溶存酸素の増加は水耕栽培の水に藻の発生が多くなるのを確認した。油を作る藻の栽培において、極微細気泡装置に圧縮空気を使用することで藻の成長を促すことも想定できる。これらは、それ以外の藻および植物プランクトン、動物プランクトンにも応用可能である。応用として植物プランクトンを餌とするホタテ、アサリ、カキ等の養殖にも有効である。【００７９】  溶存酸素が魚の成長に貢献している事は報告されている。動物プランクトンも同様の効果が期待でき、動物プランクトンを餌とする魚類の養殖にも有効と容易に推察される。【００８０】  本発明の装置は安定した極微細気泡を発生でき、また加圧ポンプの選択、攪拌器の選択及び圧力維持器の選択により、必要とする水量に応じた対応が可能となる。【００８１】  純粋装置及び純粋槽で藻が発生することを記したが、純粋装置は大量の供給水が必要とされる。供給水に見合う極微細気泡用としても可能で、必要とされる水量に見合う対応が可能となる。【００８２】  廃液及び排水等の液内の固形物の浮上分離として、本発明を応用できる。【００８３】  油を作る藻において、槽の中に発生した藻を回収する目的で極微細気泡発生装置を利用し、槽に極微細気泡を注入したところ、槽内の藻が浮上し、オーバーフローで回収し、フィルターで濾すことで、藻の回収効率が向上した。これを応用することで、湖水に発生する藻の回収及び、廃液等に含まれる固形物の浮上分離に応用可能である。【００８４】  本発明装置は家庭用風呂、業務用風呂、温泉風呂等に利用できる。介護用の浴槽においては、風呂に浸かるだけでも洗浄効果が有るとともに、槽内の固形物の浮上分離することで一定レベルに水質を保つことが期待できる。【００８５】  浴槽においては、空気に換えて混入する気体を炭酸ガスに換えることで、高濃度炭酸ガスの極微細気泡となる。炭酸ガスは体を温める効果がｓり、風呂及び足湯等に使用することで血行を良くする装置として有効である。【００８６】  温泉を含む
循環式の風呂装置において、ボイラーの後段に極微細気泡発生装置を設置することで、極微細気泡風呂として応用可能である。また、ボイラーの後段の配管を分岐し、一方に極微細気泡発生装置を設置し、配管途中で合流させることで、浴槽の工事なしに極微細気泡風呂に換えることができる。【００８７】  極微細気泡は洗浄効果があり、風呂等に使用した時は肌はもちろん、配管等に付着したごみ等を剥離させる効果がある。【００８８】  図６のデーターによると、窒素供給により液内の溶存酸素が大幅に減少している。溶存酸素が２ｐｐｍを下回ると細菌の繁殖を抑え、冷蔵保存において魚の鮮度が保たれることは知られており、混入気体として窒素を使用することで、浴槽のレジオネラ菌及び気細菌を抑制することが期待できる。【００８９】  極微細気泡装置に窒素ガスを与え、溶存酸素を低くすることで、ろ過装置内の好気細菌の繁殖を抑制することができる。また、酸素供給では図７及びず図８で示されたように溶存酸素を増加することで嫌気細菌の増殖を抑制できる。【００９０】  作物に溶存酸素の多い水を供給することで成長を促すことは知られている。溶存酸素の少ない水を供給することで作物の成長を緩やかにすることも可能である。出荷時期の調整により、価格の暴落時期を避け、価格安定期に出荷する対策にも応用できる。【００９１】  極微細気泡発生装置に供給する液体は上水、井水、下水、排水、廃液水、海水、塩水等に使用できる。
【符号の説明】
【００９２】１、一段目の加圧ポンプ
２、気液混合気
３、二段目の加圧ポンプ
４、貯留器
５、圧力維持器
６、常圧用気液混合器
７、一段加圧式の加圧ポンプ
１１、吸液配管
１２、加圧液体配管
１３、気体混入液体配管
１４、再加圧された気体混入液体配管
１５、貯留器通過の気液混合液体配管
１６、常圧での気体混入液体配管
１７、加圧された気液混合液体配菅
１８、貯留器を通過した気液混合液体配管
２１、加圧気体
２２、常圧気体
３１、循環液体
３２、ガス排気用
３３、極微細気泡混入液体の外部輸送用
３４、極微細気泡混入液体の外部輸送用バルブ
４１、圧力維持器からの待機開放水
５１、極微細気泡タンク
６０、レーザー光線の軌跡
６１、ブラウン運動のレーザー光線反射軌跡
【図１】
2017148801.tif 000003
【図２】
2017148801.tif 000004
【図３】
2017148801.tif 000005
【図４】
2017148801.tif 000006
【図５】
2017148801.tif 000007
【図６】
2017148801.tif 000008
【図７】
2017148801.tif 000009
【図８】
2017148801.tif 000010
【図９】
2017148801.tif 000011
【図１０】
2017148801.tif 000012
【図１１】
2017148801.tif 000013